(57)【要約】      （修正有）【課題】建造物の壁面に設けられる看板等の表示体であって、建造物との一体感を備え、建造物の美感を損ねない構造の表示体を提供する。【解決手段】表示体２０を、建造物１０の壁面１１に突設された平断面略Ｕ字状の柱状体とし、前記壁面１１より起立する表示面を少なくとも備えた。前記表示体２０を上下方向に連設して成る表示体柱１９を、建造物１０の少なくとも一側面において左右両側部に設け、前記表示体柱１９・１９の頂部を繋ぐ庇１２を建造物１０に設けた。【選択図】図３
2008052150.tif 000002
【特許請求の範囲】
【請求項１】
建造物に設けられる表示体であって、
建造物の壁面に突設された柱状体を成し、前記壁面より起立する表示面を少なくとも有することを特徴とする、表示体。
【請求項２】
前記柱状体の平断面が、略Ｕ字状であることを特徴とする、
請求項１に記載の表示体。
【請求項３】
請求項１又は請求項２に記載の表示体が、上下方向に単数又は複数連設されていることを特徴とする、
建造物。
【請求項４】
前記表示体が、建造物の少なくとも一つの側面において、左右両側部に設けられていることを特徴とする、
請求項３に記載の建造物。
【請求項５】
前記表示体の頂部を繋ぐように庇が設けられていることを特徴とする、
請求項４に記載の建造物。
【発明の詳細な説明】
【技術分野】
【０００１】
本発明は、建築物に付設される看板等の表示体、及び、この表示体を備えた建造物に関する。
【背景技術】
【０００２】
従来、商業施設などのコンクリート建造物の外壁には、看板が設けられる。このような看板として、建造物の斜め前方から見えるように、建造物の建造物の外壁面から略水平方向に突出する姿勢で固定されたボックス状又は板状の吊り看板や下げ看板、或いは、建造物の正面に見えるように、壁面に沿って該壁面から多少張り出した状態に設けられた壁面固定看板などがある。
【０００３】
例えば、特許文献１では、建造物の外壁に取り付け金具を介して固定されたボックス状の吊り看板が開示されている。
また、例えば、特許文献２では、建造物の壁面に略水平方向に敷設した看板固定レールに、断面が略長円形の筒体を複数連続して固定した壁面直付型看板装置が開示されている。
【０００４】
上記のような吊り看板は、壁面に固設された金具を介して持ち出される外観を呈するために建造物との一体性に欠け、美感が損なわれている。また、看板の多くは、建造物とは異なる素材で独立性を高めた造りとなっており、看板として目立つものの、建造物の美感を損なわせる一因となってしまうという、不具合があった。また、看板の設置、表示内容の変更に手間がかかり、メンテナンスも行う必要があり、維持管理費用等のコストも嵩むという、不具合があった。
【特許文献１】特開平７−１２９０９０号公報
【特許文献２】特開２０００−１８１３８７号公報
【発明の開示】
【発明が解決しようとする課題】
【０００５】
本発明では、建造物の壁面に設けられる看板等の表示体であって、建造物との一体感を備え、建造物の美感を損ねない構造のものを、提案する。
【課題を解決するための手段】
【０００６】
本発明の解決しようとする課題は以上の如くであり、次にこの課題を解決するための手段を説明する。
【０００７】
即ち、請求項１においては、建造物に設けられる表示体であって、建造物の壁面に突設された柱状体を成し、前記壁面より起立する表示面を少なくとも有するものである。
【０００８】
請求項２においては、前記柱状体の平断面が、略Ｕ字状であるものである。
【０００９】
請求項３においては、請求項１又は請求項２に記載の表示体が、上下方向に単数又は複数連設されている建造物である。
【００１０】
請求項４においては、前記表示体が、建造物の少なくとも一側面において、左右両側部に設けられているものである。
【００１１】
請求項５においては、前記表示体の頂部を繋ぐように庇が設けられているものである。
【発明の効果】
【００１２】
本発明の効果として、以下に示すような効果を奏する。
【００１３】
本発明によれば、看板や広告媒体等として機能する表示体を、建造物の壁面と一体的な柱状体として構成することにより、該表示体にて建築物の美感を損ねることなく、また、該表示体を建造物の壁面装飾とすることができる。
【発明を実施するための最良の形態】
【００１４】
次に、発明の実施の形態を説明する。
図１は本発明の実施例に係る表示体を備えた建造物の正面図、図２は表示体を備えた建造物の斜視図である。
図３は表示体を備えた建造物の正面図、図４は図３におけるＸ−Ｘ矢視断面図、図５は表示体の外周形状を説明する平断面図、図６は別形態に係る表示体の外周形状を説明する平断面図である。
図７は実施例１の固定形態Ａに係る表示体の平断面図、図８は固定形態Ｂに係る表示体の平断面図、図９は固定形態Ｃに係る表示体の平断面図、図１０は固定形態Ｄに係る表示体の平断面図、図１１は内部に光源を設けた表示体の断面図である。
図１２は実施例２に係る表示体の平断面図である。
【００１５】
図１及び図２に示すように、本発明に係る表示体２０は、看板や、広告媒体として利用されるものであり、建造物１０の壁面１１に突設された短柱状体である。
前記表示体２０は、建造物１０の壁面１１との間に取付金具等を露出させること無く該壁面１１と連続して設けられて、該建造物１０との一体感を備えるものである。
【００１６】
建造物１０の壁面１１に、複数の表示体２０・２０・・・が、略上下方向に連設されて、該表示体２０・２０・・・でなる柱（以下、『表示体柱１９』と記載する。）が形成される。この表示体柱１９においては、上下に隣接して配置される表示体２０・２０の間隙は、なるべく小さくなるように設けることが、表示体２０・２０同士の一体感を備えるうえで、望ましい。なお、複数の表示体２０・２０・・・を一体的に形成したり、一つの表示体２０を建造物１０の高さ相当に長尺に形成したりして、表示体柱１９とすることもできる。
【００１７】
前記表示体柱１９は、建造物の少なくとも一つの側面において、左右両端部、又は、左右いずれかの端部に、設けることが望ましい。このように表示体柱１９を配置することによれば、該表示体柱１９にて建造物１０の壁面１１に立体的な柱状突条が形成され、この表示体柱１９による柱状突条は建造物１０との一体感を備えて、該建造物１０の壁面装飾の一部となり、該建造物１０の美的外観を向上させるものとなる。
【００１８】
また、表示体柱１９・１９が、建造物１０の壁面１１の左右両端部に設けられる場合には、該表示体柱１９・１９の頂部を繋ぐように、建造物１０に一体的に庇１２を設けることが望ましい。これにより、建造物１０の正面に、表示体柱１９・１９と庇１２とから成る立体的な門状の枠が形成され、建造物１０と表示体柱１９（表示体２０）との一体感を更に高めるとともに、該建造物１０の美的外観を向上させることができる。
【００１９】
図３及び図４にも示すように、前記表示体２０は、建造物１０の壁面１１から略水平方向に突出する立体形状を有する柱状体であって、建造物１０の壁面１１から起立し且つ該壁面１１と略平行でない表示面２１を、少なくとも有する。前記表示面２１には、文字やマーク等が表され、これにより表示体２０は、看板や、広告媒体としての機能を備えることとなる。
但し、前記表示体２０には、前記表示面２１に加えて、壁面１１と略平行な表示面を設けることもできる。
【００２０】
図４及び図５に示すように、本実施例においては、前記表示体２０は、建造物１０の壁面１１より平断面略Ｕ字状（略半円状）に突出した形状を有する。
但し、表示体２０の形状は上記に限定されず、建造物１０が面する道路を通行する者から視認可能なように、建造物１０の壁面１１から起立し且つ該壁面１１と略平行でない表示面２１を少なくとも有し、この表示面２１に文字やマーク等を表すことができればよいので、例えば、図６に示すように、建造物１０の壁面１１より平断面略多角形状に突出した形状の表示体２０とすることもできる。
【００２１】
次に、上記表示体２０の構造のバリエーションについて、次の実施例１及び実施例２において説明する。
【実施例１】
【００２２】
本発明の実施例１に係る表示体２０の構造について説明する。
図７〜図１０に示すように、実施例１に係る表示体２０は、建造物１０の壁面１１に一体的に備えられた中空体として形成される。
前記表示体２０は、建造物１０の壁面１１に固定された成形板状体２４で構成される。
【００２３】
本実施例においては、前記成形板状体２４は、平断面略Ｕ字状に成形された、チタンやアルミニウム等の耐食性を有する金属板である。
但し、前記成形板状体２４は、耐食性を有する金属板に限定されるものではなく、合成樹脂板や、鉄板・銅板等の鋼板とすることもできる。鋼板とする場合には、該鋼板の表面は、防錆加工を施し、塗装することが望ましい。
【００２４】
表示体２０に表される文字やマークは、ペイントやシール等により施すことができる。表示体２０の表示内容を変更する際には、表示体２０の旧表示内容のみを除去したのち、新規に表示内容を備える作業が行われる。つまり、表示体２０自体は変化させないので、看板の破棄、再製作の労力やコストを低減できる。
【００２５】
前記成形板状体２４は、図７に示すように、建造物１０の壁面１１に成形板状体２４の一部が埋設されることにて、該建造物１０の壁面１１に固定される。以下、この固定形態を『固定形態Ａ』と記載する。
【００２６】
或いは、図８に示すように、前記成形板状体２４は、建造物１０の壁面１１に一体的に形成された被嵌合形状部１３に、成形板状体２４に一体的に形成された嵌合形状部２５が嵌合することにて、該建造物１０の壁面１１に固定される。以下、この固定形態を『固定形態Ｂ』と記載する。
【００２７】
或いは、図９に示すように、前記成形板状体２４は、建造物１０の壁面１１に固設された取付金具２６に、成形板状体２４に一体的に形成された係止部２７が係合することにて、該建造物１０の壁面１１に固定される。以下、この固定形態を『固定形態Ｃ』と記載する。
【００２８】
或いは、図１０に示すように、前記成形板状体２４は、該成形板状体２４と、建造物１０の壁面１１に固設された取付金具２６とがボルト等の締結部材２９を用いて締結されることにて、該建造物１０の壁面１１に固定される。以下、この固定形態を『固定形態Ｄ』と記載する。
【００２９】
上記固定形態Ｂ、固定形態Ｃ又は固定形態Ｄにて建造物１０の壁面１１に固定された成形板状体２４は、該壁面１１から着脱可能である。従って、固定形態Ｂ、固定形態Ｃ又は固定形態Ｄを採用する場合は、表示体２０の表示内容を変更する際に、成形板状体２４ごと新規なものに取り替えることができる。
【００３０】
また、上記固定形態Ｃ又は固定形態Ｄにて建造物１０の壁面１１に成形板状体２４を固定する場合には、前記取付金具２６は成形板状体２４の内側に設けられる。これにより、壁面１１と成形板状体２４との間から、取付金具２６が建造物１０の外観に露出しないので、表示体２０に建造物１０との一体感を備えることができ、該表示体２０にて建造物１０の美感を損なわないようにすることができる。
【００３１】
なお、本実施例に係る表示体２０は中空体であるので、例えば、図１１に示すように、該表示体２０を構成する成形板状体２４の内部に光源３１を備えるとともに、成形板状体２４に文字やマークを透過孔３２・３２・・・として形成すれば、該透過孔３２・３２・・・を透過する光にて、文字やマークを表すことができる。
【実施例２】
【００３２】
本発明の実施例２に係る表示体２０の構造について説明する。
実施例２に係る表示体２０は、建造物１０の壁面１１と一体的な中実ブロック体として形成される。この場合、建造物１０に設けられる複数の表示体２０・２０・・・は、表示体柱１９として一体的に設けられる。
【００３３】
前記表示体２０は、図３及び図５に示すように、コンクリートで構成され、建造物１０の施工時に該建造物１０に備える庇１２と一体的に設けられる。但し、図１２に示すように、表示体２０は、成形した鋼板２８で外周形状を形作り、該鋼板２８の内部にコンクリートを備えたものとすることもできる。
前記表示体２０の外表面は、建造物１０の壁面１１に合わせた意匠性を備えるべく塗装されて、表示体２０の建造物１０との一体感が備えられる。
【００３４】
表示体２０の表示面２１に表される文字やマークは、ペイントやシール等により施すことができる。表示体２０の表示内容を変更する際には、旧表示内容のみを除去したのち、新規に表示内容を備える作業が行われる。つまり、表示体２０自体は変化させないので、前記表示体を表示内容を変更させて繰り返し使用可能であり、表示体の破棄、再製作の労力やコストを低減できる。
すなわち、建造物１０との一体感を備えた表示体２０を用いることにより、従来の看板に比べ、看板の設置、表示内容の変更、メンテナンス等を容易に行うことができ、コストの低減も図ることができる。
【図面の簡単な説明】
【００３５】
【図１】本発明の実施例に係る表示体を備えた建造物の正面図。
【図２】表示体を備えた建造物の斜視図。
【図３】表示体を備えた建造物の正面図。
【図４】図３におけるＸ−Ｘ矢視断面図。
【図５】表示体の外周形状を説明する平断面図。
【図６】別形態に係る表示体の外周形状を説明する平断面図。
【図７】実施例１の固定形態Ａに係る表示体の平断面図。
【図８】固定形態Ｂに係る表示体の平断面図。
【図９】固定形態Ｃに係る表示体の平断面図。
【図１０】固定形態Ｄに係る表示体の平断面図。
【図１１】内部に光源を設けた表示体の断面図。
【図１２】実施例２に係る表示体の平断面図。
【符号の説明】
【００３６】
１０  建造物
１１  壁面
１２  庇
１９  表示体柱
２０  表示体
２１  表示面
【図３】
2008052150.tif 000003
【図４】
2008052150.tif 000004
【図５】
2008052150.tif 000005
【図６】
2008052150.tif 000006
【図７】
2008052150.tif 000007
【図８】
2008052150.tif 000008
【図９】
2008052150.tif 000009
【図１０】
2008052150.tif 000010
【図１１】
2008052150.tif 000011
【図１２】
2008052150.tif 000012
【図１】
2008052150.tif 000013
【図２】
2008052150.tif 000014